(57)【要約】      （修正有）【課題】新たなノズル配置の液体吐出ヘッドを提供する。【解決手段】液体吐出ヘッドは、第１方向（Ｄ２方向）及びＤ２方向に直交する第２方向（Ｄ１方向）に広がる吐出面２ａに開口している複数のノズル３を備えている。Ｄ１方向に交差する方向に配列された複数のノズル３を有しているノズル行５が互いに並列に複数構成されている。ｎを３以上の整数としたときに、それぞれ２行以上のノズル行５を含むｎ個のノズル領域４１がＤ１方向に並んでいる。Ｄ２方向において互いに隣り合っているノズル３は、常に、互いに異なるノズル領域４１に属している。【選択図】図５
2020157658.tif 000002
【特許請求の範囲】
【請求項１】
第１方向及び当該第１方向に直交する第２方向に広がる吐出面に開口している複数のノズルを備えており、
前記第２方向に交差する方向に配列された複数の前記ノズルを有しているノズル行が互いに並列に複数構成されており、
ｎを３以上の整数としたときに、それぞれ２行以上の前記ノズル行を含むｎ個のノズル領域が前記第２方向に並んでおり、
前記第１方向において互いに隣り合っている前記ノズルは、常に、互いに異なる前記ノズル領域に属している
液体吐出ヘッド。
【請求項２】
ｎは４以上の整数であり、前記ｎ個のノズル領域を前記第２方向の一方側から他方側へ１番目からｎ番目までのノズル領域としたときに、奇数番目の前記ノズル領域のノズルと、偶数番目の前記ノズル領域のノズルとが前記第１方向において交互に位置している
請求項１に記載の液体吐出ヘッド。
【請求項３】
前記ノズル行に沿って互いに並列に延びる２以上の共通流路を有しており、
前記第２方向において隣り合う２つの前記ノズル領域毎に、複数の前記ノズルが同一の前記共通流路に通じている
請求項２に記載の液体吐出ヘッド。
【請求項４】
前記偶数番目の前記ノズル領域のノズルを１つ挟んで、前記第１方向において互いに隣り合っている前記ノズルは、常に、互いに異なる前記奇数番目の前記ノズル領域に属している
請求項２又は３に記載の液体吐出ヘッド。
【請求項５】
前記奇数番目の前記ノズル領域のノズルを１つ挟んで、前記第１方向において互いに隣り合っている前記ノズルは、常に、互いに異なる前記偶数番目の前記ノズル領域に属している
請求項２〜４のいずれか１項に記載の液体吐出ヘッド。
【請求項６】
前記第１方向において前記ノズルを１つ挟んで互いに隣り合っている２つの前記ノズルは、常に、互いに異なる前記ノズル領域に属している
請求項１〜５のいずれか１項に記載の液体吐出ヘッド。
【請求項７】
前記第１方向において、同一の前記ノズル領域のノズル間に位置する他の前記ノズル領域のノズルの数に１を加えた数で規定されるピッチがいずれの前記ノズル領域についても一定かつｎである
請求項１〜６のいずれか１項に記載の液体吐出ヘッド。
【請求項８】
前記複数のノズルを、前記第１方向における位置の順番で１つ置きに位置する複数の第１のノズルと、前記第１方向において前記第１のノズルと交互に位置する、前記第１のノズル以外のノズルである複数の第２のノズルと、に分けたとき、
前記吐出面の平面視において、前記第１のノズルを前記第１方向へ向かって順番に結んで得られる第１の折れ線は、前記第１のノズルの１つ毎に、前記第２方向の一方側と他方側とに交互に屈曲しており、
前記吐出面の平面視において、前記第２のノズルを前記第１方向へ向かって順番に結んで得られる第２の折れ線は、前記第２のノズルの１つ毎に、前記第２方向の一方側と他方側とに交互に屈曲している
請求項１〜７のいずれか１項に記載の液体吐出ヘッド。
【請求項９】
前記第１方向における位置の順番で１つ置きに並んでいる任意の３つの前記ノズルを順に第３〜第５のノズルとしたときに、
前記第３のノズルが属する前記ノズル領域と、前記第４のノズルが属する前記ノズル領域とに挟まれている前記ノズル領域の数と、
前記第４のノズルが属する前記ノズル領域と、前記第５のノズルが属する前記ノズル領域とに挟まれている前記ノズル領域の数とが、常に異なっている
請求項１〜８のいずれか１項に記載の液体吐出ヘッド。
【請求項１０】
前記第１方向において他の前記ノズル領域のノズルを挟んで隣り合っている、同一の前記ノズル領域に属している２つのノズルが、常に、互いに異なる前記ノズル行に属している
請求項１〜９のいずれか１項に記載の液体吐出ヘッド。
【請求項１１】
前記第１方向において互いに隣り合っている２つの前記ノズルは、常に、互いに隣り合っていない前記ノズル行に属している
請求項１〜１０のいずれか１項に記載の液体吐出ヘッド。
【請求項１２】
請求項１〜１１のいずれか１項に記載の液体吐出ヘッドと、
前記液体吐出ヘッドと記録媒体とを前記第２方向において相対移動させる移動部と、
を有している記録装置。
【発明の詳細な説明】
【技術分野】
【０００１】
本開示は、液体吐出ヘッド及び記録装置に関する。
【背景技術】
【０００２】
複数のノズルから記録媒体（例えば紙）上へ液体（例えばインク）を吐出することによって印刷を行なう液体吐出ヘッドが知られている（例えば特許文献１）。通常、複数のノズルは、記録媒体と液体吐出ヘッドとの相対移動の方向（以下、第２方向）に交差する方向に配列されてノズル行を構成している。記録媒体と液体吐出ヘッドとを相対移動させつつ、ノズル行からの液体の吐出を繰り返すことによって、２次元画像が形成される。ノズル行は、複数行で設けられることもある。この場合、複数のノズルは、第２方向に直交する方向（以下、第１方向）における位置が、複数のノズル行同士で重複しないように配置される。これにより、記録媒体上の第１方向におけるドットの密度を高くすることができる。
【先行技術文献】
【特許文献】
【０００３】
【特許文献１】特開２００２−５２７０６号公報
【発明の概要】
【発明が解決しようとする課題】
【０００４】
新たなノズル配置の液体吐出ヘッド及び記録装置が提供されることが望まれる。
【課題を解決するための手段】
【０００５】
本開示の一態様に係る液体吐出ヘッドは、第１方向及び当該第１方向に直交する第２方向に広がる吐出面に開口している複数のノズルを備えており、前記第２方向に交差する方向に配列された複数の前記ノズルを有しているノズル行が互いに並列に複数構成されており、ｎを３以上の整数としたときに、それぞれ２行以上の前記ノズル行を含むｎ個のノズル領域が前記第２方向に並んでおり、前記第１方向において互いに隣り合っている前記ノズルは、常に、互いに異なる前記ノズル領域に属している。
【０００６】
本開示の一態様に係る記録装置は、上記の液体吐出ヘッドと、前記液体吐出ヘッドと記録媒体とを前記第２方向において相対移動させる移動部と、を有している。
【発明の効果】
【０００７】
上記の構成によれば、複数のノズルが吐出面内で偏在する蓋然性を低減することができる。
【図面の簡単な説明】
【０００８】
【図１】（ａ）は、本開示の一実施形態に係る液体吐出ヘッドを含む記録装置の側面図であり、（ｂ）は平面図である。
【図２】図１の液体吐出ヘッドの、液滴を吐出する吐出面を示す平面図である。
【図３】図２の領域IIIの拡大図である。
【図４】図１の液体吐出ヘッドの要部の模式的な部分縦断面図である。
【図５】ノズルの第１配置例を示す模式図である。
【図６】ノズルの第２配置例を示す模式図である。
【図７】ノズルの第３配置例を示す模式図である。
【図８】ノズルの第４配置例を示す模式図である。
【図９】ノズルの第５配置例を示す模式図である。
【図１０】ノズルの第６配置例を示す模式図である。
【図１１】ノズルの第７配置例を示す模式図である。
【図１２】ノズルの第８配置例を示す模式図である。
【図１３】図３の領域XIIIを拡大して示す平面透視図である。
【図１４】図１３の領域XIVを拡大して示す平面透視図である。
【発明を実施するための形態】
【０００９】
以下、本開示の実施形態について、図面を参照して説明する。なお、以下の説明で用いられる図は模式的なものであり、図面上の寸法比率等は現実のものとは必ずしも一致していない。同一の部材を示す複数の図面同士においても、形状等を誇張するために、寸法比率等は互いに一致していないことがある。
【００１０】
（プリンタの全体構成）
図１（ａ）は、本開示の一実施形態に係る液体吐出ヘッド２（以下で単にヘッドということがある。）を含むカラーインクジェットプリンタ１（記録装置の一例。以下で単にプリンタということがある）の概略の側面図である。図１（ｂ）は、プリンタ１の概略の平面図である。
【００１１】
なお、ヘッド２又はプリンタ１は、任意の方向を鉛直方向とすることが可能であるが、便宜上、図１（ａ）の紙面上下方向を鉛直方向として、上面又は下面等の語を用いることがある。また、平面視等の語は、特に断りがない限り、図１（ａ）の紙面上下方向に見ることをいうものとする。
【００１２】
プリンタ１は、印刷用紙Ｐ（記録媒体の一例）を給紙ローラ８０Ａから回収ローラ８０Ｂへと搬送することにより、印刷用紙Ｐをヘッド２に対して相対的に移動させる。なお、給紙ローラ８０Ａ及び回収ローラ８０Ｂ並びに後述する各種のローラは、印刷用紙Ｐとヘッド２とを相対移動させる移動部８５を構成している。制御部８８は、画像や文字等のデータである印刷データ等に基づいて、ヘッド２を制御して、印刷用紙Ｐに向けて液体を吐出させ、印刷用紙Ｐに液滴を着弾させて、印刷用紙Ｐに印刷などの記録を行なう。
【００１３】
本実施形態では、ヘッド２はプリンタ１に対して固定されており、プリンタ１はいわゆるラインプリンタとなっている。記録装置の他の実施形態としては、ヘッド２を印刷用紙Ｐの搬送方向に交差する方向（例えば略直交する方向）に移動させつつ液滴を吐出する動作と、印刷用紙Ｐの搬送とを交互に行なう、いわゆるシリアルプリンタが挙げられる。
【００１４】
プリンタ１には、印刷用紙Ｐと略平行となるように、４個の平板状のヘッド搭載フレーム７０（以下で単にフレームと言うことがある）が固定されている。各フレーム７０には図示しない５個の孔が設けられており、５個のヘッド２がそれぞれの孔の部分に搭載されている。１個のフレーム７０に搭載されている５個のヘッド２は、１つのヘッド群７２を構成している。プリンタ１は、４つのヘッド群７２を有しており、合計２０個のヘッド２が搭載されている。
【００１５】
フレーム７０に搭載されたヘッド２は、液体を吐出する部位が印刷用紙Ｐに面する。ヘッド２と印刷用紙Ｐとの間の距離は、例えば０．５〜２０ｍｍ程度とされる。
【００１６】
２０個のヘッド２は、制御部８８と直接接続されていてもよいし、印刷データを分配する分配部を介して制御部８８と接続されていてもよい。例えば、制御部８８が印刷データを１個の分配部へ送信し、１個の分配部が印刷データを２０個のヘッド２に分配してもよい。また、例えば、４つのヘッド群７２に対応する４つの分配部へ制御部８８が印刷データを分配し、各分配部は、対応するヘッド群７２内の５個のヘッド２に印刷データを分配してもよい。
【００１７】
ヘッド２は、図１（ａ）の手前から奥へ向かう方向、図１（ｂ）の上下方向に細長い長尺形状を有している。１つのヘッド群７２内において、３個のヘッド２は、印刷用紙Ｐの搬送方向に交差する方向（例えば略直交する方向）に沿って並んでおり、他の２個のヘッド２は搬送方向に沿ってずれた位置で、３個のヘッド２の間にそれぞれ一つずつ並んでいる。別の表現をすれば、１つのヘッド群７２において、ヘッド２は、千鳥状に配置されている。ヘッド２は、各ヘッド２で印刷可能な範囲が、印刷用紙Ｐの幅方向、すなわち、印刷用紙Ｐの搬送方向に交差する方向に繋がるように、あるいは端が重複するように配置されており、印刷用紙Ｐの幅方向に隙間のない印刷が可能になっている。
【００１８】
４つのヘッド群７２は、印刷用紙Ｐの搬送方向に沿って配置されている。各ヘッド２には、図示しない液体供給タンクから液体（例えばインク）が供給される。１つのヘッド群７２に属するヘッド２には、同じ色のインクが供給されるようになっており、４つのヘッド群７２で４色のインクが印刷できる。各ヘッド群７２から吐出されるインクの色は、例えば、マゼンタ（Ｍ）、イエロー（Ｙ）、シアン（Ｃ）およびブラック（Ｋ）である。このようなインクを印刷用紙Ｐに着弾させることにより、カラー画像を印刷できる。
【００１９】
プリンタ１に搭載されているヘッド２の個数は、単色で、１個のヘッド２で印刷可能な範囲を印刷するのであれば、１個でもよい。ヘッド群７２に含まれるヘッド２の個数や、ヘッド群７２の数は、印刷する対象や印刷条件により適宜変更できる。例えば、さらに多色の印刷をするためにヘッド群７２の数を増やしてもよい。また、同色で印刷するヘッド群７２を複数配置して、搬送方向に交互に印刷すれば、同じ性能のヘッド２を使用しても搬送速度を速くできる。これにより、時間当たりの印刷面積を大きくすることができる。また、同色で印刷するヘッド群７２を複数準備して、搬送方向と交差する方向にずらして配置して、印刷用紙Ｐの幅方向の解像度を高くしてもよい。
【００２０】
さらに、色のあるインクを印刷する以外に、印刷用紙Ｐの表面処理をするために、コーティング剤などの液体を、ヘッド２で、一様に、あるいはパターンニングして印刷してもよい。コーティング剤としては、例えば、記録媒体として液体が浸み込み難いものを用いる場合において、液体が定着し易いように、液体受容層を形成するものを使用できる。他に、コーティング剤としては、記録媒体として液体が浸み込み易いものを用いる場合において、液体のにじみが大きくなり過ぎたり、隣に着弾した別の液体とあまり混じり合わないように、液体浸透抑制層を形成するものを使用できる。コーティング剤は、ヘッド２で印刷する以外に、制御部８８が制御する塗布機７６で一様に塗布してもよい。
【００２１】
プリンタ１は、記録媒体である印刷用紙Ｐに印刷を行なう。印刷用紙Ｐは、給紙ローラ８０Ａに巻き取られた状態になっており、給紙ローラ８０Ａから送り出された印刷用紙Ｐは、フレーム７０に搭載されているヘッド２の下側を通り、その後２個の搬送ローラ８２Ｃの間を通り、最終的に回収ローラ８０Ｂに回収される。印刷する際には、搬送ローラ８２Ｃを回転させることで印刷用紙Ｐは、一定速度で搬送され、ヘッド２によって印刷される。
【００２２】
続いて、プリンタ１の詳細について、印刷用紙Ｐが搬送される順に説明する。給紙ローラ８０Ａから送り出された印刷用紙Ｐは、２つのガイドローラ８２Ａの間を通った後、塗布機７６の下を通る。塗布機７６は、印刷用紙Ｐに、上述のコーティング剤を塗布する。
【００２３】
印刷用紙Ｐは、続いて、ヘッド２が搭載されたフレーム７０を収納した、ヘッド室７４に入る。ヘッド室７４は、印刷用紙Ｐが出入りする部分などの一部において外部と繋がっているが、概略、外部と隔離された空間である。ヘッド室７４は、必要に応じて、制御部８８等によって、温度、湿度、および気圧等の制御因子が制御される。ヘッド室７４では、プリンタ１が設置されている外部と比較して、外乱の影響を少なくできるので、上述の制御因子の変動範囲を外部よりも狭くできる。
【００２４】
ヘッド室７４には、５個のガイドローラ８２Ｂが配置されており、印刷用紙Ｐは、ガイドローラ８２Ｂの上を搬送される。５個のガイドローラ８２Ｂは、側面から見て、フレーム７０が配置されている方向に向けて、中央が凸になるように配置されている。これにより、５個のガイドローラ８２Ｂの上を搬送される印刷用紙Ｐは、側面から見て円弧状になっており、印刷用紙Ｐに張力を加えることで、各ガイドローラ８２Ｂ間の印刷用紙Ｐが平面状になるように張られる。２つ個ガイドローラ８２Ｂの間には、１個のフレーム７０が配置されている。フレーム７０は、その下を搬送される印刷用紙Ｐと平行になるように、設置される角度が少しずつ変えられている。
【００２５】
ヘッド室７４から外に出た印刷用紙Ｐは、２つの搬送ローラ８２Ｃの間を通り、乾燥機７８の中を通り、２個のガイドローラ８２Ｄの間を通り、回収ローラ８０Ｂに回収される。印刷用紙Ｐの搬送速度は、例えば、１００ｍ／分とされる。各ローラは、制御部８８によって制御されてもよいし、人によって手動で操作されてもよい。
【００２６】
乾燥機７８で乾燥することにより、回収ローラ８０Ｂにおいて、重なって巻き取られる印刷用紙Ｐ同士が接着したり、未乾燥の液体が擦れることが起き難くなる。高速で印刷するためには、乾燥も速く行なう必要がある。乾燥を速くするため、乾燥機７８では、複数の乾燥方式により順番に乾燥してもよいし、複数の乾燥方式を併用して乾燥してもよい。そのような際に用いられる乾燥方式としては、例えば、温風の吹き付け、赤外線の照射、加熱したローラへの接触などがある。赤外線を照射する場合は、印刷用紙Ｐへのダメージを少なくしつつ乾燥を速くできるように、特定の周波数範囲の赤外線を当ててもよい。印刷用紙Ｐを加熱したローラに接触させる場合は、印刷用紙Ｐをローラの円筒面に沿って搬送させることで、熱が伝わる時間を長くしてもよい。ローラの円筒面に沿って搬送させる範囲は、ローラの円筒面の１／４周以上がよく、さらにローラの円筒面の１／２周以上にするのがよい。ＵＶ硬化インク等を印刷する場合には、乾燥機７８の代わりに、あるいは乾燥機７８に追加してＵＶ照射光源を配置してもよい。ＵＶ照射光源は、各フレーム７０の間に配置してもよい。
【００２７】
プリンタ１は、ヘッド２をクリーニングするクリーニング部を備えていてもよい。クリーニング部は、例えば、ワイピング及び／又はキャッピングによって洗浄を行なう。ワイピングは、例えば、柔軟性のあるワイパーで、液体が吐出される部位の面、例えば吐出面２ａ（後述）を擦ることで、その面に付着していた液体を取り除く。キャッピングしての洗浄は、例えば、次のように行なう。まず、液体を吐出される部位、例えば吐出面２ａを覆うようにキャップを被せる（これをキャッピングと言う）ことで、吐出面２ａとキャップとで、略密閉されて空間が作られる。そのような状態で、液体の吐出を繰り返すことで、ノズル３（後述）に詰まっていた、標準状態よりも粘度が高くなっていた液体や、異物等を取り除く。キャッピングしてあることで、洗浄中の液体がプリンタ１に飛散し難く、液体が、印刷用紙Ｐやローラ等の搬送機構に付着し難くなる。洗浄を終えた吐出面２ａを、さらにワイピングしてもよい。ワイピング及び／又はキャッピングによる洗浄は、プリンタ１に取り付けられているワイパー及び／又はキャップを人が手動で操作して行なってもよいし、制御部８８によって自動で行なってもよい。
【００２８】
記録媒体は、印刷用紙Ｐ以外に、ロール状の布などでもよい。また、プリンタ１は、印刷用紙Ｐを直接搬送する代わりに、搬送ベルトを搬送して、記録媒体を搬送ベルトに置いて搬送してもよい。そのようにすれば、枚葉紙、裁断された布、木材又はタイルなどを記録媒体にできる。さらに、ヘッド２から導電性の粒子を含む液体を吐出するようにして、電子機器の配線パターンなどを印刷してもよい。またさらに、ヘッド２から反応容器などに向けて所定量の液体の化学薬剤又は化学薬剤を含んだ液体を吐出させて、反応させるなどして、化学薬品を作製してもよい。
【００２９】
また、プリンタ１に、位置センサ、速度センサ及び／又は温度センサなどを取り付けて、制御部８８が、各センサからの情報から分かるプリンタ１各部の状態に応じて、プリンタ１の各部を制御してもよい。例えば、ヘッド２の温度、ヘッド２に液体を供給する液体供給タンクの液体の温度、及び／又は液体供給タンクの液体がヘッド２に加えている圧力などが、吐出される液体の吐出特性（例えば吐出量及び／又は吐出速度）に影響を与えている場合などに、それらの情報に応じて、液体を吐出させる駆動信号を変えるようにしてもよい。
【００３０】
（吐出面の概要）
図２は、ヘッド２の印刷用紙Ｐに対向する面（吐出面２ａ）を示す平面図である。図３は、図２の領域IIIの拡大図である。これらの図では、便宜上、Ｄ１軸、Ｄ２軸及びＤ３軸からなる直交座標系を付している。Ｄ１軸は、ヘッド２と印刷用紙Ｐとの相対移動の方向に平行に定義されている。Ｄ１軸の正負と、ヘッド２に対する印刷用紙Ｐの進行方向との関係は、本実施形態の説明では特に問わない。Ｄ２軸は、吐出面２ａ及び印刷用紙Ｐに平行で、かつＤ１軸に直交するように定義されている。Ｄ２軸の正負も特に問わない。Ｄ３軸は、吐出面２ａ及び印刷用紙Ｐに直交するように定義されている。Ｄ３軸の負側である−Ｄ３側（図２及び図３の紙面手前側）は、ヘッド２から印刷用紙Ｐへの方向である。
【００３１】
吐出面２ａは、例えば、ヘッド２の印刷用紙Ｐに対向する面の大部分を構成している平面である。既に述べたように、ヘッド２は、印刷用紙Ｐとの相対移動の方向に交差する方向（Ｄ２方向）に長い長尺状であり、吐出面２ａもＤ２方向を長手方向とする形状とされている。具体的には、吐出面２ａは、例えば、Ｄ２方向を長手方向とする概略矩形状とされている。
【００３２】
吐出面２ａには、インク滴を吐出する複数のノズル３（図３）が設けられている。複数のノズル３は、ヘッド２と印刷用紙Ｐとの相対移動の方向（Ｄ１方向）に直交する方向（Ｄ２方向）の位置を互いに異ならせて配置されている。従って、移動部８５によってヘッド２と印刷用紙Ｐとを相対移動させつつ、複数のノズル３からインク滴を吐出することにより、任意の２次元画像が形成される。
【００３３】
より具体的には、複数のノズル３は、複数行（図示の例では１６行）で配列されている。すなわち、複数のノズル３によって、複数のノズル行５が構成されている。なお、図２では、吐出面２ａに対してノズル３が微細であることから、ノズル行５は直線で模式的に示されている。複数のノズル行５同士において、複数のノズル３のＤ２方向における位置は互いに異なっている。これにより、各ノズル行５におけるノズル３のピッチよりも狭いピッチでＤ２方向に並ぶ複数のドットを印刷用紙Ｐに形成することが可能となっている。
【００３４】
各ノズル行５において、複数のノズル３は、直線状に配列されている。より詳細には、例えば、複数のノズル３は、仮想直線上に中心（図心）が一致するように配列されている。ただし、ノズル３の中心は、比較的微小な振れ幅で上記の仮想直線からずれていてもよい。各ノズル行５における複数のノズル３のピッチについては後述する。
【００３５】
複数のノズル行５は、例えば、概略、互いに平行であり、また、互いに同等の長さを有している。図示の例では、ノズル行５は、ヘッド２と印刷用紙Ｐとの相対移動の方向に直交する方向（Ｄ２方向）に平行になっている。ただし、ノズル行５は、Ｄ２方向に対して傾斜していてもよい。また、図示の例では、複数のノズル行５間の隙間の大きさは均等ではない。これは、例えば、ヘッド２内部の流路の配置の都合に起因する。もちろん、ノズル行５間の隙間の大きさは均等とされてもよい。
【００３６】
（ヘッドの構造の概要）
図４は、ヘッド２の一部を拡大して示す模式的な断面図である。なお、図４の紙面下方が記録媒体Ｐに対向する側（−Ｄ３側）である。
【００３７】
ヘッド２は、圧電素子の機械的歪によりインクに圧力を付与するピエゾ式のヘッドである。ヘッド２は、ノズル３毎に設けられた複数の吐出素子１１を有しており、図４は一の吐出素子１１を示している。
【００３８】
複数の吐出素子１１は、特に図示しないが、例えば、概略、ノズル行５毎に吐出素子１１の行を構成している。各行における吐出素子１１の向き及び数は、後述する共通流路１９の経路の設計等と併せて適宜に設定されてよい。例えば、吐出素子１１の各行において、吐出素子１１は、互いに同一の向きであってもよいし、１つずつ逆向きであってもよい。また、１行のノズル行５に対して１行の吐出素子１１が設けられてもよいし、１行のノズル行５に対してその両側に２行の吐出素子１１の行が互いに逆向きで設けられてもよい。互いに隣り合う２行のノズル行５に対応する２行の吐出素子１１の行は、各行の吐出素子１１が１つずつ交互に配列されて見かけ上１行のように構成されていてもよい。
【００３９】
ヘッド２は、別の観点では、インクを貯留する空間を形成する流路部材１３と、流路部材１３に貯留されているインクに圧力を付与するアクチュエータ１５とを有している。複数の吐出素子１１は、流路部材１３及びアクチュエータ１５により構成されている。
【００４０】
（流路部材の構成）
流路部材１３の内部には、複数の個別流路１７（図４では１つを図示）と、当該複数の個別流路１７に通じる共通流路１９とが形成されている。個別流路１７は、吐出素子１１毎に設けられ、共通流路１９は、複数の吐出素子１１に共通に設けられている。
【００４１】
各個別流路１７は、既述のノズル３と、ノズル３が底面２１ａに開口している部分流路２１と、部分流路２１に通じる加圧室２３と、加圧室２３と共通流路１９とを連通する連通路２５とを有している。
【００４２】
複数の個別流路１７及び共通流路１９にはインクが満たされている。加圧室２３の容積が変化してインクに圧力が付与されることにより、加圧室２３から部分流路２１へインクが送出され、ノズル３からインク滴が吐出される。また、加圧室２３へは連通路２５を介して共通流路１９からインクが補充される。
【００４３】
複数の個別流路１７及び共通流路１９の断面形状若しくは平面形状は、適宜に設定されてよい。複数の個別流路１７の構成（平面視における向きは除く）は、例えば、概略、互いに同一である。ただし、部分流路２１の傾斜など、一部が互いに異なっていてもよい。
【００４４】
加圧室２３は、例えば、Ｄ３方向において一定の厚みに形成され、また、平面視において、概略、菱形又は楕円等とされている。加圧室２３の平面方向の端部は、部分流路２１と連通され、その反対側の端部は連通路２５と連通されている。連通路２５の一部は、流れ方向に直交する断面積が共通流路１９および加圧室２３よりも小さいしぼりとされている。
【００４５】
部分流路２１は、加圧室２３の底面（−Ｄ３側の面）から吐出面２ａ側へ延びている。部分流路２１の断面（Ｄ３軸に直交する断面）の形状は適宜に設定されてよく、特に図示しないが、例えば、円形又は矩形である。また、当該断面形状（寸法含む）は、部分流路２１の長さ（概略Ｄ３方向）に亘って一定であってもよいし、変化してもよく、図示の例では若干変化している。部分流路２１は、Ｄ３軸に平行に延びていてもよいし、Ｄ３軸に対して適宜に傾斜して延びていてもよい。
【００４６】
ノズル３の形状は適宜に設定されてよい。例えば、ノズル３は、平面視において円形であり、吐出面２ａ側ほど径が小さくなっている。すなわち、ノズル３の形状は、概略、円錐台である。なお、ノズル３は、先端側（−Ｄ３側）の一部が先端側ほど拡径するように構成されていてもよい。ノズル３の底面２１ａに対する開口面積は、当然に、底面２１ａよりも小さい。
【００４７】
共通流路１９は、例えば、加圧室２３よりも下方において吐出面２ａに沿って延びている。より詳細には、例えば、共通流路１９は、ノズル行５に沿って延びている。ただし、共通流路１９は、ノズル行５に交差する方向に延びていてもよい。共通流路１９は、互いに並列に複数設けられている。共通流路１９は、流路部材１３内において互いに独立していてもよいし、端部側において合流していてもよい。
【００４８】
流路部材１３は、例えば、複数のプレート２７Ａ〜２７Ｊ（以下、Ａ〜Ｊを省略することがある。）が積層されることにより構成されている。プレート２７には、複数の個別流路１７及び共通流路１９を構成する貫通孔（凹部とすることも可。）が形成されている。複数のプレート２７の厚み及び積層数は、複数の個別流路１７及び共通流路１９の形状等に応じて適宜に設定されてよい。複数のプレート２７は、適宜な材料により形成されてよく、例えば、金属、樹脂、セラミック若しくはシリコンにより形成されている。
【００４９】
複数のプレート２７のうち最も−Ｄ３側に位置するプレート２７については、ノズルプレート２７Ａということがある。ノズルプレート２７Ａは、例えば、その下面によって吐出面２ａを構成しており、その上面によって部分流路２１の底面２１ａを構成している。ノズル３は、ノズルプレート２７Ａをその厚さ方向に貫通する孔によって構成されている。
【００５０】
（アクチュエータの構成）
アクチュエータ１５は、例えば、撓みモードで変位する、ユニモルフ型の圧電素子により構成されている。具体的には、例えば、アクチュエータ１５は、加圧室２３側から順に積層された、振動板２９、共通電極３１、圧電体３３及び複数の個別電極３５を有している。
【００５１】
振動板２９、共通電極３１及び圧電体３３は、例えば、複数の加圧室２３を覆うように複数の加圧室２３（複数の吐出素子１１）に共通に設けられている。一方、個別電極３５は、加圧室２３（吐出素子１１）毎に設けられている。なお、アクチュエータ１５のうち、一の吐出素子１１に対応する部分を加圧素子３７ということがある。複数の加圧素子３７の構成（平面視における向きは除く）は、互いに同一である。
【００５２】
振動板２９は、例えば、流路部材１３の上面に重ねられることにより、加圧室２３の上面開口を塞いでいる。なお、加圧室２３は、上面開口がプレート２７によって塞がれ、その上に振動板２９が重なっていてもよい。ただし、この場合も、そのプレート２７を振動板の一部として捉え、振動板によって加圧室２３が塞がれていると捉えてもよい。
【００５３】
圧電体３３は、厚み方向（Ｄ３方向）が分極方向とされている。従って、例えば、共通電極３１及び個別電極３５に電圧を印加して、圧電体３３に対して分極方向に電界を作用させると、圧電体３３は面内（Ｄ３軸に直交する面内）で収縮する。この収縮により振動板２９は、加圧室２３側に凸となるように撓み、その結果、加圧室２３の容積は変化する。逆向きに電圧を印加すれば、振動板２９は逆側に撓む。
【００５４】
共通電極３１は、既述のように複数の加圧室２３に亘っており、一定の電位（例えば基準電位）が付与される。個別電極３５は、加圧室２３上に位置している個別電極本体３５ａと、その個別電極本体３５ａから引き出された引出電極３５ｂとを含んでいる。平面視において、個別電極本体３５ａの形状及び大きさは、概略、加圧室２３と同等である。複数の個別電極３５に個別に電位（駆動信号）が付与されることにより、複数のノズル３からのインク滴の吐出が個別に制御される。
【００５５】
振動板２９、共通電極３１、圧電体３３及び個別電極３５は、適宜な材料により形成されてよい。例えば、振動板２９は、セラミック、酸化シリコン若しくは窒化シリコンにより形成されている。共通電極３１及び個別電極３５は、例えば、白金若しくはパラジウムにより形成されている。圧電体３３は、例えば、ＰＺＴ（チタン酸ジルコン酸鉛）等のセラミックにより形成されている。
【００５６】
アクチュエータ１５は、例えば、特に図示しないが、アクチュエータ１５上に対向配置されたフレキシブルプリント配線板（ＦＰＣ）と接続される。具体的には、各引出電極３５ｂがＦＰＣと接続されるとともに、共通電極３１が不図示のビア導体等を介してＦＰＣと接続される。そして、制御部８８は、例えば、ＦＰＣに実装された不図示の駆動ＩＣを介して、共通電極３１に一定の電位を付与するとともに、複数の個別電極３５に個別に駆動信号を入力する。
【００５７】
（ヘッドにおけるその他の構成）
特に図示しないが、ヘッド２は、図４に示した構成の他に、筐体、ドライバＩＣ、配線基板などを含んでいてよい。また、ヘッド２は、流路部材１３に液体を供給する他の流路部材を含んでいてよい。
【００５８】
（ノズルの配列の詳細）
図５は、吐出面２ａを見たときのノズルの配列を示す模式図である。
【００５９】
Ｄ１軸及びＤ２軸から理解されるように、縦軸ＲＰは、Ｄ１方向の位置を示し、横軸ＤＰは、Ｄ２方向の位置を示している。また、黒丸及び白丸は、いずれもノズル３を示している。
【００６０】
より詳細には、縦軸ＲＰは、ノズル行５の位置（別の観点ではＤ１方向の位置）を示している。本実施形態では、１６行のノズル行５が設けられていることから、第１行〜第１６行のノズル行５の位置に対応する目盛が付されている。ここでは、実際のノズル行５同士の距離は無視して、一定のピッチで目盛が付されている。
【００６１】
既述のように、Ｄ１方向に見て、各ノズル行５のノズル３が他のノズル行５のノズル３間に位置することによって、複数のノズル３の位置は互いにずれている。すなわち、複数のノズル３をＤ１方向に投影すると、その射影点はＤ２軸に平行な仮想線（例えば横軸ＤＰ）上に並ぶ。この射影点の位置をドット位置というものとする。以下の説明では、便宜上、正確性を無視して、ドット位置について、例えば、ノズル３の横軸ＤＰ上における位置のような表現を用いることがある。
【００６２】
横軸ＤＰには、上記のドット位置に対応する目盛りが付されている。複数のドット位置のピッチは、基本的に一定である。ただし、ドット位置のピッチは、比較的小さい振れ幅で変動していてもよい。ここでは、そのような変動の有無に関わらず、一定のピッチでドット位置に対応する目盛りが付されている。また、当該目盛には便宜的に番号が付されている。以下の説明では、便宜上、この目盛りの番号をノズル行５に直交する列の番号として用いることがある。
【００６３】
ｋ及びｍを整数とする。ｍ行のノズル行５それぞれがｋ個のノズル３を有する場合、ｋ×ｍ個のドット位置が存在する。一般に、ｋは比較的大きい。例えば、ｋは少なくともｍよりも大きい。また、ｋの実際的な一例を挙げると、７００以上１０００以下である。ひいては、一般には、ドット位置の数（ｋ×ｍ）も多数である。ただし、図５においては、その多数のドット位置のうちの一部のみが示されている。具体的には、１７個のドット位置が示されている。
【００６４】
ｑ及びｍを整数とする。ｍ行のノズル行５が設けられている場合、例えば、連続するｑ×ｍ個のドット位置に対して、各ノズル行５内で連続するｑ個のノズル３が割り当てられてよい。このときの横軸ＤＰ上におけるノズル３の並び順は、同一のノズル行５のノズル３が連続しないものとされる。これにより、各ノズル行５内におけるＤ２方向におけるノズル３のドット密度よりも高いドット密度で横軸ＤＰ上にドット位置を配置することが可能となる。そして、このｑ×ｍ個のドット位置におけるノズル３（ノズル行５）の並び順を繰り返すように、ｋ×ｍ個のノズル３を配置することができる。
【００６５】
図５の例では、ｑ＝１として、ｎ（ここでは１６）個のドット位置におけるノズル３の並び順が繰り返される。従って、横軸ＤＰにおいて、１番目のドット位置と、１７番目のドット位置とは、ノズル３の配置パターンに関して等価である。そして、第１７番目以降においても、第１番目〜第１６番目までのノズル３の配置パターンが繰り返される。もちろん、第１番目よりも−Ｄ２側も同様とされてよい。
【００６６】
（ノズル領域）
上記のように、横軸ＤＰ上におけるノズル３の並び順は、同一のノズル行５のノズル３が連続しないものとされる。本実施形態では、ハッチングした領域によって示されているように、それぞれ複数のノズル行５を含む複数のノズル領域４１（４１Ａ及び４１Ｂ）の概念を導入する。横軸ＤＰ上におけるノズル３の並び順は、同一のノズル領域４１に属するノズル３が連続しない（隣り合わない）ものとされる。換言すれば、Ｄ１方向に見て互いに隣り合う２つのノズル３は、常に、互いに異なるノズル領域４１に属する。これにより、例えば、同一のノズル行５のノズル３が横軸ＤＰ上において連続しないことはもとより、ノズル３の均等配置によって画質の向上が期待される。具体的には、以下のとおりである。
【００６７】
ノズル領域４１は、複数のノズル行５を含む領域として定義される。各ノズル領域４１が含むノズル行５の数は、複数のノズル領域４１同士で互いに同一であってもよいし、互いに異なっていてもよく、また、その具体的な値も適宜に設定されてよい。図示の例では、各ノズル領域４１が含むノズル行５の数は、複数のノズル領域４１同士で互いに同一で、かつ２行とされている。
【００６８】
ノズル領域４１の数は、２以上の適宜な数とされてよく、例えば、３以上又は４以上である。図示の例では、１６行のノズル行５に対して２行のノズル行５を含むノズル領域４１が設定されているから、８個のノズル領域４１が設定されている。また、ノズル領域４１の数は、偶数個であってもよいし（図示の例）、奇数個であってもよい。
【００６９】
一般に、ノズル行５の長さは、複数のノズル行５全体の幅よりも長いから、ノズル行５を含むノズル領域４１は、ノズル行５が延びる方向に長い長尺状の領域である。また、複数のノズル領域４１は、複数のノズル行５と同様に、Ｄ１方向に並んでいる。なお、ノズル領域４１（ノズル行５）がＤ１方向に直交していない場合においても、複数のノズル領域４１（ノズル行５）は、Ｄ１方向に並んでいると表現する。
【００７０】
複数のノズル領域４１は、Ｄ１方向の並び順によって、奇数番目のノズル領域４１Ａと、偶数番目のノズル領域４１Ｂとに分けることができる。図５では、ノズル領域４１Ａと４１Ｂとに互いに異なるハッチングを付している。また、奇数番目のノズル領域４１Ａのノズル３は白丸で示され、偶数番目のノズル領域４１のノズル３は黒丸で示されている。
【００７１】
図５において、折れ線Ｌ１は、奇数番目のノズル領域４１Ａに属するノズル３を横軸ＤＰ上の並び順に従って順に直線で結んだものである。折れ線Ｌ２は、偶数番目のノズル領域４１Ｂに属するノズル３を横軸ＤＰ上の並び順に従って順に直線で結んだものである。図示の例では、Ｄ１方向に見たときに、奇数番目のノズル領域４１Ａのノズル３と偶数番目のノズル領域４１Ｂのノズル３とがＤ２方向に交互に並んでいる。このため、折れ線Ｌ１は、複数のノズル３のうち、Ｄ１方向に見てＤ２方向に１つ置きに並んでいるものを結んだ線であり、折れ線Ｌ２は、残りのノズル３を結んだ線である。折れ線Ｌ２のうち一部（線Ｌ３）は、後の説明の便宜上、太く示されている。
【００７２】
なお、図示の例とは異なり、横軸ＤＰ上で互いに隣り合う２つのノズル３が互いに異なるノズル領域４１に属することを条件として、奇数番目のノズル領域４１のノズル３同士が横軸ＤＰ上で隣り合っていたり、偶数番目のノズル領域４１のノズル３同士が横軸ＤＰ上で隣り合っていたりしてもよい。
【００７３】
また、図示の例では、Ｄ１方向に見て、ノズル３を１つ挟んでＤ２方向に互いに隣り合っている２つのノズル３は、常に、互いに異なるノズル領域４１に属している。換言すれば、Ｄ１方向に見て、Ｄ２方向に並んでいる３つのノズル３は、常に、互いに異なる３つのノズル領域４１に属している。ただし、図示の例とは異なり、Ｄ１方向に見て、ノズル３を１つ挟んでＤ２方向に互いに隣り合っている２つのノズル３が同一のノズル領域４１に属する部分が存在しても構わない。
【００７４】
より詳細には、図示の例では、Ｄ１方向に見て、偶数番目のノズル領域４１Ｂのノズル３を１つ挟んで互いに隣り合っている２つのノズル３は、常に、互いに異なる奇数番目のノズル領域４１Ａに属している。同様に、Ｄ１方向に見て、奇数番目のノズル領域４１Ａのノズル３を１つ挟んで互いに隣り合っている２つのノズル３は、常に、互いに異なる偶数番目のノズル領域４１Ｂに属している。
【００７５】
ただし、図示の例とは異なり、Ｄ１方向に見て、ノズル３を１つ挟んで互いに隣り合っている２つのノズル３が属している互いに異なるノズル領域４１は、奇数番目のノズル領域４１と偶数番目のノズル領域４１との組み合わせであっても構わない。また、２つのノズル３が常に互いに異なる奇数番目のノズル領域４１Ａに属しているという関係と、２つのノズル３が常に互いに異なる偶数番目のノズル領域４１Ｂに属しているという関係との一方のみが成立しても構わないし、いずれの関係も成立しなくても構わない。
【００７６】
奇数番目のノズル領域４１のノズル３を結んだ折れ線Ｌ１は、奇数番目のノズル領域４１のノズル３の１つ毎に、＋Ｄ１側及び−Ｄ１側に交互に屈曲してジグザグに延びている。同様に、偶数番目のノズル領域４１のノズル３を結んだ折れ線Ｌ２は、偶数番目のノズル領域４１のノズル３の１つ毎に、＋Ｄ１側及び−Ｄ１側に交互に屈曲してジグザグに延びている。換言すれば、Ｄ１方向に見て１つ置きに並んでいる複数のノズル３をＤ１方向に見たときの並び順で平面視において結んだ折れ線は、１つ置きに並んでいる複数のノズル３の１つ毎に＋Ｄ１側及び−Ｄ１側に交互に屈曲している。
【００７７】
なお、このような１つ置きのノズル３の１つ毎に折れ線が逆側に屈曲する態様は、本実施形態とは異なり、Ｄ１方向に見て、奇数番目のノズル領域４１のノズル３と偶数番目のノズル領域４１のノズル３とが交互に並んでいない態様に適用されてもよい。また、図示の例とは異なり、折れ線Ｌ１及びＬ２のうちの一方のみがノズル３の１つ毎に逆側に屈曲してもよい。また、図示の例とは異なり、折れ線は、１つ置きに並んでいる複数のノズル３の１つ毎に逆側に屈曲しない部分を有していてもよい。
【００７８】
線Ｌ２の一部（太線にした部分）である線Ｌ３によって示すように、Ｄ１方向に見て１つ置きに並んでいる任意の３つのノズル３に着目し、この３つのノズル３を第３〜第５のノズル３というものとする。具体的には、ここでは、第３のノズル３として、第８行かつ第２列のノズル３に着目し、第４のノズル３として、第１２行かつ第４列のノズル３に着目し、第５のノズル３として、第３行かつ第６列のノズル３に着目している。
【００７９】
このとき、第３のノズル３が属するノズル領域４１と、第４のノズル３が属するノズル領域４１とに、Ｄ１方向において挟まれているノズル領域４１（第９行及び第１０行）の数は１個である。一方、第４のノズル３が属するノズル領域４１と第５のノズル３が属するノズル領域４１とに、Ｄ１方向において挟まれているノズル領域４１（第５行〜第１０行）の数は３個である。すなわち、両者は異なっている。この関係は、図示の例では、Ｄ１方向に見て１つ置きに並んでいるいずれの３つのノズル３についても成り立っている。
【００８０】
ただし、図示の例とは異なり、上記の関係が成り立たない部分が生じてもよい。第３のノズル３が属するノズル領域４１と第４のノズル３が属するノズル領域４１とに挟まれるノズル領域４１の数、及び第４のノズル３が属するノズル領域４１と第５のノズル３が属するノズル領域４１とに挟まれるノズル領域４１の数は、図示の例では１以上である。ただし、当該数は、０となっても構わない。この場合においても、挟まれるノズル領域４１の数が異なるという関係は成立可能である。
【００８１】
また、図示の例では、Ｄ１方向に見て他のノズル領域４１のノズル３を挟んで隣り合っている、同一のノズル領域４１に属している２つのノズル３は、当該同一のノズル領域４１内の互いに異なるノズル行５に属している。これは、例えば、いずれのノズル３についても成り立っている。ただし、図示の例とは異なり、Ｄ１方向に見て他のノズル領域４１のノズル３を挟んで隣り合っている、同一のノズル領域４１に属している２つのノズル３は、同一のノズル行５に属していても構わない。なお、この場合、ｑ×ｍ個のノズル３の配置パターンが繰り返される態様では、例えば、ｑ＞１とされる。
【００８２】
また、図示の例では、Ｄ１方向に見て互いに隣り合っている２つのノズル３は、Ｄ１方向において他の１つ以上のノズル行５を挟んで互いに離れている２つのノズル行５に属している。すなわち、Ｄ１方向に見て互いに隣り合っている２つのノズル３が属するノズル行５は隣り合っていない。ただし、図示の例とは異なり、このような関係が成立しなくても構わない。
【００８３】
各ノズル領域４１において、ノズル３が配置されている横軸ＤＰ上のドット位置からその次のノズル３が配置されているドット位置の手前のドット位置までのドット位置の数によって規定される間隔をノズルピッチＮＰ（図５では、最も紙面上方に位置するノズル領域４１についてのみ符号を示す。）というものとする。換言すれば、Ｄ１方向に見て、同一のノズル領域４１のノズル３間に位置する他のノズル領域４１のノズル３の数に１を加えた数がノズルピッチＮＰである。
【００８４】
図示の例では、いずれのノズル領域４１においても、ノズルピッチＮＰは、一定であり、かつｎ（ノズル領域４１の数と同じ）である。ただし、ノズルピッチＮＰは一定でなくてもよく、また、ｎでなくてもよい。なお、この場合、ｑ×ｍ個のノズル３の配置パターンが繰り返される態様では、例えば、ｑ＞１とされる。
【００８５】
以上のとおり、本実施形態では、液体吐出ヘッド２は、第１方向（Ｄ２方向）及び当該Ｄ２方向に直交する第２方向（Ｄ１方向）に広がる吐出面２ａに開口している複数のノズル３を備えている。Ｄ１方向に交差する方向（本実施形態ではＤ２方向）に配列された複数のノズル３を有しているノズル行５が互いに並列に複数構成されている。ｎを３以上の整数としたときに、それぞれ２行以上のノズル行５を含むｎ個のノズル領域４１がＤ１方向に並んでいる。Ｄ１方向に見て互いに隣り合っているノズル３は、常に、互いに異なるノズル領域４１に属している。すなわち、Ｄ２方向において互いに隣り合っているノズル３は、常に、互いに異なるノズル領域４１に属している。なお、Ｄ２方向において互いに隣り合っているノズル３とは、Ｄ２方向における互いの間に他のノズル３が存在しない２つのノズル３を意味する。
【００８６】
その結果、例えば、複数のノズル３が吐出面２ａに均等に分布する蓋然性が高くなる。具体的には、以下のとおりである。
【００８７】
図５において、典型的な比較例に係るノズル４の配置の一部を示す（第１行〜第５行）。複数のノズル４は、ｉを１〜ｍまでの整数としたときに、ｉ行かつｉ列の位置に配置されている。換言すれば、横軸ＤＰ上で互いに隣り合うノズル４が属するノズル行５は、互いに隣り合っている。さらに換言すると、１列からｍ列までのノズル４は、不図示の仮想直線上に並んでいる。これは、複数のノズル４が吐出面２ａのＤ１方向の幅の一部に偏って位置しているということもできる。１列からｍ列までのノズル４の配置パターンが繰り返される場合は、複数のノズル４は、鋸歯状の波形で並ぶ。
【００８８】
このような比較例では、画質が低下することがある。
【００８９】
例えば、１列からｍ列までのノズル４に着目すると、横軸ＤＰ上において互いに隣り合うノズル４同士においては、一方のノズル４から液滴が吐出されてから他方のノズル４から液滴が吐出されるまでの時間が短い。その結果、一方のノズル４の液滴が記録媒体に定着する前に他方のノズル４の液滴が記録媒体に着弾し、両者が混ざり合う蓋然性が高い。この液滴に混合は画質の低下を招くことがある。
【００９０】
また、例えば、１列からｍ列までのノズル４とは異なり、ｍ列のノズル４とｍ＋１列のノズル４とは、横軸ＤＰ上において互いに隣り合うノズル４でありながら、Ｄ１方向の距離が長く、ひいては、一方のノズル４から液滴が吐出されてから他方のノズル４から液滴が吐出されるまでの時間が長い。従って、液滴の混合に関して特異的な部分が生じることになる。このような特異的な部分は、画像に縞模様として現れて視認されることがある。すなわち、画質の低下を招くことがある。
【００９１】
一方、本実施形態では、ノズル領域４１は、２行以上のノズル行５を含み、また、横軸ＤＰ上において互いに隣り合うノズル３は、常に、互いに異なるノズル領域４１に属している。従って、複数のノズル３は、仮想直線上には配置されず、Ｄ１方向に多少なりとも分散される。別の観点では、横軸ＤＰ上において互いに隣り合うノズル３が互いに異なるノズル行５に属するだけの概念の従来技術に比較して、複数のノズル３が吐出面２ａのうちのＤ１方向の一部に偏る蓋然性が低減され、複数のノズル３が均等に分布されやすい。その結果、例えば、上述した画質の低下が緩和される。
【００９２】
また、本実施形態では、２行以上のノズル行５を含むノズル領域４１の数は、例えば、３以上又は４以上であるから、ノズル行５は、６行以上又は８行以上設けられている。このような比較的多数のノズル行５が設けられている場合においては、吐出面２ａ（ノズル３の配置領域）のＤ１方向の長さが長い。ひいては、上述した比較例について述べた画質の低下が生じやすい。従って、ノズル領域４１の概念の導入による効果が有効に奏される。
【００９３】
また、本実施形態では、ｎは４以上の整数である。ｎ個のノズル領域４１をＤ１方向の一方側から他方側へ１番目からｎ番目までのノズル領域４１としたときに、奇数番目のノズル領域４１のノズル３と、偶数番目のノズル領域４１のノズル３とが、Ｄ１方向に見て、交互にＤ２方向に並んでいる。すなわち、奇数番目のノズル領域４１のノズル３と、偶数番目のノズル領域４１のノズル３とが、Ｄ２方向において交互に位置している
【００９４】
この場合、例えば、奇数番目の２以上のノズル領域４１の複数のノズル３は、横軸ＤＰ上に（基本的に）一定のピッチで並ぶ。偶数番目のノズル領域４１についても同様である。従って、例えば、奇数番目の２以上のノズル領域４１及び偶数番目の２以上のノズル領域４１のうち、一方（例えば奇数番目の２以上のノズル領域４１）のみから液滴を吐出して画像を形成することができる。すなわち、画像のドット密度を切り換えることが可能になる。また、奇数番目のノズル領域４１及び偶数番目のノズル領域４１の一方のみを利用した場合においても、ｎが４以上であることにより、ノズル領域４１は２以上使用され、ノズル領域４１の概念を導入したことによる効果が維持される。
【００９５】
なお、上記のようなドット密度の切換えは、適宜な方法によって実現されてよい。例えば、奇数番目のノズル領域４１及び偶数番目のノズル領域４１のうち使用されないノズル領域４１に対応する個別電極３５を設けないようにしてよい。また、例えば、使用されないノズル領域４１についても個別電極３５は設けつつも、その個別電極３５と制御部８８とを仲介する不図示のＦＰＣを個別電極３５接続しないようにしてもよい。また、例えば、使用されないノズル領域４１の個別電極３５にＦＰＣを接続しつつも、その個別電極３５に駆動信号を入力しないように、制御部８８又は不図示のドライバＩＣによる制御が行われてもよい。
【００９６】
また、本実施形態では、Ｄ１方向に見て、偶数番目のノズル領域４１のノズル３を１つ挟んで互いに隣り合っているノズル３は、常に、互いに異なる奇数番目のノズル領域４１に属している。すなわち、偶数番目のノズル領域４１のノズル３を間に１つ挟んでＤ２方向において互いに隣り合っているノズル３は、常に、互いに異なる奇数番目のノズル領域４１に属している。すなわち、偶数番目のノズル領域４１に属する１つのノズル３のＤ２方向における両隣に位置する２つのノズル３は、常に、互いに異なる奇数番目のノズル領域４１に属している。
【００９７】
この場合、同一の奇数番目のノズル領域４１に属するノズル３が横軸ＤＰ上で２つ隣に位置している部分が存在する態様（当該態様も本開示に係る技術に含まれる。）に比較して、複数のノズル３が吐出面２ａ上で分散されやすい。また、上記のように奇数番目のノズル領域４１及び偶数番目のノズル領域４１のうち奇数番目のノズル領域４１のみを使用した場合において、Ｄ１方向に見て互いに隣り合うノズル３は、互いに異なるノズル領域４１に属することになるので、ノズル領域４１の概念を導入したことによる効果が維持される。
【００９８】
また、本実施形態では、Ｄ１方向に見て、奇数番目のノズル領域４１のノズル３を１つ挟んで互いに隣り合っているノズル３は、常に、互いに異なる偶数番目のノズル領域４１に属している。すなわち、奇数番目のノズル領域４１のノズル３を間に１つ挟んでＤ２方向において互いに隣り合っているノズル３は、常に、互いに異なる偶数番目のノズル領域４１に属している。すなわち、奇数番目のノズル領域４１に属する１つのノズル３のＤ２方向における両隣に位置する２つのノズル３は、常に、互いに異なる偶数番目のノズル領域４１に属している。また、上記に関連して、本実施形態では、Ｄ１方向に見てノズル３を１つ挟んで互いに隣り合っている２つのノズル３は、常に、互いに異なるノズル領域４１に属している。すなわち、Ｄ２方向においてノズル３を１つ挟んで互いに隣り合っている２つのノズル３は、常に、互いに異なるノズル領域４１に属している。すなわち、１つのノズル３のＤ２方向における両隣に位置する２つのノズル３は、常に、互いに異なるノズル領域４１に属している。これらの場合も、上記と同様に、複数のノズル３が分散されやすい等の効果が奏される。
【００９９】
また、本実施形態では、Ｄ１方向に見て、同一のノズル領域４１のノズル３間に位置する他のノズル領域４１のノズルの数に１を加えた数で規定されるノズルピッチＮＰがいずれのノズル領域４１についても一定かつｎである。すなわち、Ｄ２方向において、同一のノズル領域４１のノズル３間に位置する他のノズル領域４１のノズルの数に１を加えた数で規定されるノズルピッチＮＰがいずれのノズル領域４１についても一定かつｎである。
【０１００】
すなわち、いずれのノズル領域４１内においても、ノズル３はＤ２方向に均等なピッチで配置される。その結果、例えば、ノズル領域４１の導入によるＤ１方向におけるノズル３の分散の効果と相俟って、複数のノズル３が吐出面２ａにおいて２次元的に均等に分布されやすい。ひいては、画質が向上する。
【０１０１】
また、複数のノズル３のうち、Ｄ１方向に見て１つ置きに並んでいるものを複数の第１のノズル３とし、残りを第２のノズル３とする。すなわち、複数のノズル３を、Ｄ２方向における位置の順番で１つ置きに位置する複数の第１のノズル３と、Ｄ２方向において第１のノズル３と交互に位置する、第１のノズル３以外のノズルである複数の第２のノズル３と、に分ける。このとき、本実施形態では、Ｄ１方向に見た第１のノズル３の並び順で、吐出面２ａの平面視において第１のノズル３を結んでなる第１の折れＬ１線は、第１のノズル３の１つ毎に、Ｄ１方向の一方側と他方側とに交互に屈曲している。すなわち、吐出面２ａの平面視において、第１のノズル３をＤ２方向へ順番に結んで得られる第１の折れＬ１線は、第１のノズル３の１つ毎に、Ｄ１方向の一方側と他方側とに交互に屈曲している。同様に、Ｄ１方向に見た第２のノズル３の並び順に吐出面２ａの平面視において第２のノズル３を仮想直線で結んでなる第２の折れ線Ｌ２は、第２のノズル３の１つ毎に、Ｄ１方向の一方側と他方側とに交互に屈曲している。すなわち、吐出面２ａの平面視において、第２のノズル３をＤ２方向へ順番に結んで得られる第２の折れ線Ｌ２は、第２のノズル３の１つ毎に、Ｄ１方向の一方側と他方側とに交互に屈曲している。
【０１０２】
この場合、例えば、Ｄ２方向の所定範囲内で折れ線Ｌ１及びＬ２がジグザグに屈曲する回数が多くなる。その結果、例えば、Ｄ２方向の比較的短い範囲内で、ノズル３の位置がＤ１方向において拡散されやすくなる。その結果、ノズル３の均等配置が容易化される。
【０１０３】
また、本実施形態では、Ｄ１方向に見て１つ置きに並んでいる任意の３つのノズル３を順に第３〜第５のノズル３としたときに（線Ｌ３参照）、第３のノズル３が属するノズル領域４１と、第４のノズル３が属するノズル領域４１とに挟まれているノズル領域４１の数と、第４のノズル３が属するノズル領域４１と、第５のノズル３が属するノズル領域４１とに挟まれているノズル領域４１の数とが、常に異なっている。すなわち、Ｄ２方向における位置の順番で１つ置きに位置する任意の３つのノズル３を順に第３〜第５のノズル３としたときに（線Ｌ３参照）、第３のノズル３が属するノズル領域４１と、第４のノズル３が属するノズル領域４１とに挟まれているノズル領域４１の数と、第４のノズル３が属するノズル領域４１と、第５のノズル３が属するノズル領域４１とに挟まれているノズル領域４１の数とが、常に異なっている。
【０１０４】
この場合、例えば、第３〜第５のノズル３は、吐出面２ａの平面視において、常に同一直線上に位置していない。換言すれば、複数のノズル３の配置は、規則性が低い。複数のノズル３の規則性が高い場合、例えば、Ｄ１方向に見て互いに隣り合うノズル３同士の間で生じる上述した画質の低下がＤ２方向において周期的に現れやすい。画質の低下が周期的に現れると、非周期的に現れる場合に比較して、画質の低下が視認されやすくなる。しかし、上記のように規則性を低下させることによって、人間の目から見た画質を向上させることができる。
【０１０５】
また、本実施形態では、Ｄ１方向に見て他のノズル領域４１のノズル３を挟んで隣り合っている、同一のノズル領域４１に属している２つのノズル３が、常に、互いに異なるノズル行５に属している。すなわち、Ｄ２方向において他のノズル領域４１のノズル３を挟んで隣り合っている、同一のノズル領域４１に属している２つのノズル３が、常に、互いに異なるノズル行５に属している。
【０１０６】
この場合、例えば、各ノズル領域４１内において複数のノズル３の配置がＤ１方向に拡散される。従って、これまでに述べた複数のノズル領域４１全体に亘るマクロ的な観点に加えて、各ノズル領域４１内のミクロ的な観点からも、複数のノズル３が拡散されることになる。ひいては、複数のノズル３が均等に配置されやすくなり、上述した画質の向上の効果がさらに向上する。
【０１０７】
また、本実施形態では、Ｄ１方向に見て互いに隣り合っている２つのノズル３は、常に、互いに隣り合っていない（１行以上のノズル行５を介在させて離れている）ノズル行５に属している。すなわち、Ｄ２方向に互いに隣り合っている２つのノズル３は、常に、互いに隣り合っていないノズル行５に属している。
【０１０８】
Ｄ１方向に見て互いに隣り合う２つのノズル３は、互いに異なるノズル領域４１に属していても、比較例のノズル４と同様に、互いに隣り合うノズル行５に属し得る。例えば、ノズル領域４１が２行のノズル行５を含むものである場合においては、最大で５０％程度のノズル３について、そのような状況が生じ得る。しかし、Ｄ１方向に見て互いに隣り合っている２つのノズル３が互いに隣り合っていないノズル行５から常に選択されることによって、ノズル領域４１の概念を導入したことによる効果が向上する。
【０１０９】
（ノズルの配置の他の例）
上述したノズル領域４１の概念を導入したノズル３の配置のパターンは多数存在する。その全てを本開示において図示することは現実的でない。以下では、いくつかの例を示す。なお、図５のノズル３の配置例を第１配置例というものとし、以下の配置例については、第２配置例等というものとする。以下の説明では、先に述べられた配置例との相違点を中心に述べる。特に言及がない点は、先に述べられた配置例と同様とされてよい。
【０１１０】
（第２配置例）
図６は、ノズル３の第２配置例を示す図５と同様の図である。図５と同様に、折れ線Ｌ１は、Ｄ１方向に見て１つ置きに並んでいるノズル３（奇数番目のノズル領域４１のノズル３）を結んでいる。折れ線Ｌ２は、残りのノズル３（偶数番目のノズル領域４１のノズル３）を結んでいる。線Ｌ３は、線Ｌ２の一部であり、３つのノズル３を結んでいる。
【０１１１】
第２配置例では、折れ線Ｌ２は、Ｄ１方向に見て１つ置き並んでいるノズル３の１つ毎にＤ１方向の逆側に屈曲していない部分を有している。また、線Ｌ３から理解されるように、第２配置例では、Ｄ１方向に見て１つ置きに並んでいるノズル３を第３〜第５のノズル３としたときに、第３のノズル３が属するノズル領域４１と、第４のノズル３が属するノズル領域４１とに挟まれているノズル領域４１の数と、第４のノズル３が属するノズル領域４１と、第５のノズル３が属するノズル領域４１とに挟まれているノズル領域４１の数とが同一となる部分が生じている。なお、折れ線Ｌ１の波形は第１配置例と同一である。
【０１１２】
（第３配置例）
図７は、ノズル３の第３配置例を示す図５と同様の図である。線Ｌ１及びＬ２の描かれ方も図５等と同様である。
【０１１３】
第３配置例では、折れ線Ｌ１及びＬ２のいずれも、Ｄ１方向に見て１つ置き並んでいるノズル３の１つ毎にＤ１方向の逆側に屈曲していない部分を有している。より詳細には、折れ線Ｌ１及びＬ２のいずれも、常に、Ｄ１方向に見て１つ置きに並んでいるノズル３の２つ毎にＤ１方向の逆側に屈曲している。
【０１１４】
一方、線Ｌ３の図示は省略するが、第１配置例と同様に、Ｄ１方向に見て１つ置きに並んでいるノズル３を第３〜第５のノズル３としたときに、第３のノズル３が属するノズル領域４１と、第４のノズル３が属するノズル領域４１とに挟まれているノズル領域４１の数と、第４のノズル３が属するノズル領域４１と、第５のノズル３が属するノズル領域４１とに挟まれているノズル領域４１の数とは、常に異なっている。
【０１１５】
また、この配置例では、ノズル３の配置に関する新たな法則性を導入している。具体的には、Ｄ１方向に見て互いに隣り合う２つのノズル３をノズルペア４３とする。例えば、第１列のノズル３及び第２列のノズル３をノズルペア４３とし、第３列のノズル３及び第４列のノズル３を次のノズルペア４３とする。同様に、第１５列のノズル３及び第１６列のノズル３まで、ｎ／２個のノズルペア４３を定義する。このとき、ノズルペア４３内の２つのノズル３の位置関係は、全てのノズルペア４３同士で互いに同一である。具体的には、例えば、各ノズルペア４３内において、−Ｄ２側のノズル３に対して、＋Ｄ２側のノズル３は、Ｄ１方向の一方側（図示の例では＋Ｄ１側）に所定の行数分（図示の例では２行分）シフトされている。また、その結果、折れ線Ｌ１及びＬ２は、互いに同一の波形を有しつつ、互いに位置がずれたものとなっている。
【０１１６】
（第４配置例）
図８は、ノズル３の第４配置例を示す図５と同様の図である。
【０１１７】
第４配置例では、ノズル行５の数ｍがこれまでの配置例と異なっている。具体的には、これまでの配置例のｍは１６であったのに対して、第４配置例のｍは、これよりも少なく、１２とされている。
【０１１８】
第４配置例においても、これまでの配置例と同様に、ｑ＝１として、ｑ×ｍ個のノズル３の配置が繰り返されている。ここでは、ｍ＝１２であるから、第１３列〜第１７列におけるノズル３の配置は、第１列〜第５列におけるノズル３の配置と等価である。
【０１１９】
ノズル領域４１が含むノズル行５の数は、これまでの配置例と同様に、２である。一方、ノズル行５の総数ｍは、上記のように、これまでの配置例とは異なっている。従って、ノズル領域４１の数ｎは、これまでの配置例と異なり、６となっている。
【０１２０】
各ノズル領域４１におけるノズルピッチＮＰ（最も紙面上方のノズル領域４１についてのみ符号を付す。）は、これまでの配置例と同様に、いずれのノズル領域４１においても、一定であり、かつノズル領域４１の数ｎと同じである。ただし、上記のように、ｎは、これまでの配置例と異なり、６である。
【０１２１】
なお、折れ線Ｌ１及びＬ２によって示されるノズル３の配置に関する法則性は、第２配置例（図６）の折れ線Ｌ２によって示されるものに近いものとなっている。例えば、ここでの折れ線Ｌ１又はＬ２は、Ｄ１方向に見て１つ置き並んでいるノズル３の１つ毎にＤ１方向の逆側に屈曲していない部分を有している。また、Ｄ１方向に見て１つ置きに並んでいるノズル３を第３〜第５のノズル３としたときに、第３のノズル３が属するノズル領域４１と、第４のノズル３が属するノズル領域４１とに挟まれているノズル領域４１の数と、第４のノズル３が属するノズル領域４１と、第５のノズル３が属するノズル領域４１とに挟まれているノズル領域４１の数とが同一となる部分が生じている。
【０１２２】
（第５配置例）
図９は、ノズル３の第５配置例を示す図５と同様の図である。
【０１２３】
第５配置例は、第４配置例において折れ線Ｌ１の波形を変更したものである。具体的には、第５配置例では、第３配置例（図７）において導入したノズルペア４３の概念を導入している。別の観点では、折れ線Ｌ１の波形は、折れ線Ｌ２に対して同一の波形を有しつつ、折れ線Ｌ２に対して位置がずれたものとなっている。
【０１２４】
（第６配置例）
図１０は、ノズル３の第６配置例を示す図５と同様の図である。
【０１２５】
第４配置例では、第１配置例に対してノズル行５の数ｍが少なくされていたのに対して、第６配置例では、逆に、ｍが多くされており、具体的には、２０とされている。これに伴い、ノズル領域４１の数ｎ及びノズルピッチＮＰ（最も紙面上方のノズル領域４１についてのみ符号を付す。）は、これまでの配置例よりも多く、１０となっている。
【０１２６】
折れ線Ｌ１及びＬ２によって示されるノズル３の配置に関する法則性は、ノズルペア４３の概念を導入していない点を除いては、第３配置例（図７）に近いものとなっている。例えば、ここでの折れ線Ｌ１及びＬ２それぞれは、Ｄ１方向に見て１つ置き並んでいるノズル３の１つ毎にＤ１方向の逆側に交互に屈曲していない部分を有している。一方で、Ｄ１方向に見て１つ置きに並んでいるノズル３を第３〜第５のノズル３としたときに、第３のノズル３が属するノズル領域４１と、第４のノズル３が属するノズル領域４１とに挟まれているノズル領域４１の数と、第４のノズル３が属するノズル領域４１と、第５のノズル３が属するノズル領域４１とに挟まれているノズル領域４１の数とは、常に異なっている。
【０１２７】
（第７配置例）
図１１は、ノズル３の第７配置例を示す図５と同様の図である。
【０１２８】
第７配置例は、第６配置例において折れ線Ｌ１及びＬ２の波形を変更したものである。具体的には、第７配置例では、第３配置例（図７）において導入したノズルペア４３の概念を導入している。別の観点では、折れ線Ｌ１の波形は、折れ線Ｌ２に対して同一の波形を有しつつ、折れ線Ｌ２に対して位置がずれたものとなっている。また、第７配置例では、第２配置例（図６）と同様に、Ｄ１方向に見て１つ置きに並んでいるノズル３を第３〜第５のノズル３としたときに、第３のノズル３が属するノズル領域４１と、第４のノズル３が属するノズル領域４１とに挟まれているノズル領域４１の数と、第４のノズル３が属するノズル領域４１と、第５のノズル３が属するノズル領域４１とに挟まれているノズル領域４１の数とが同一の部分が存在している。
【０１２９】
（第８配置例）
図１２は、ノズル３の第８配置例を示す図５と同様の図である。
【０１３０】
第８配置例では、各ノズル領域４１が含むノズル行５の数がこれまでの配置例と相違している。具体的には、第８配置例では、各ノズル領域４１は、４つのノズル行５を含んでいる。なお、ノズル行５の総数ｍは、ここでは、第１配置例と同様に１６であり、ひいては、ノズル領域４１の数ｎは４つとなっている。また、ノズルピッチＮＰ（最も紙面上方のノズル領域４１についてのみ符号を付す。）も４である。
【０１３１】
また、第８配置例では、第３〜第５のノズル３に係る法則性がこれまでの配置例と相違する。すなわち、Ｄ１方向に見て１つ置きに並んでいるノズル３を第３〜第５のノズル３としたときに、第３のノズル３が属するノズル領域４１と、第４のノズル３が属するノズル領域４１とに挟まれているノズル領域４１の数と、第４のノズル３が属するノズル領域４１と、第５のノズル３が属するノズル領域４１とに挟まれているノズル領域４１の数とは、常に同一である。より詳細には、図示の例では、上記挟まれているノズル領域４１の数は、常に１である。
【０１３２】
また、第８配置例では、第１配置例（図５）と同様に、折れ線Ｌ１及びＬ２のいずれも、Ｄ１方向に見て１つ置き並んでいるノズル３の１つ毎にＤ１方向の逆側に屈曲している。また、第８配置例では、第３配置例（図７）と同様に、ノズルペア４３の概念を導入している。別の観点では、折れ線Ｌ１及びＬ２は互いに同一の波形を有している。
【０１３３】
また、第８配置例では、上記のような法則性の組み合わせの結果、一見すると、複数のノズル３の配置は、図５に示した典型的な比較例のノズル４の配置に類似している。すなわち、横軸ＤＰ上におけるノズル３の並び順で、ノズル３を結んで折れ線（不図示）は、鋸歯状の波形をなす。ただし、既に述べたように、本実施形態では、ノズル領域４１の概念を導入しているから、比較例に比較して、複数のノズル３はＤ１方向に分散されている。
【０１３４】
（共通流路とノズル領域との関係の例）
既述のように、ノズル行５（別の観点ではノズル領域４１）は、共通流路１９に沿って延びていてもよいし、共通流路１９に対して交差していてもよい。また、前者の場合において、１つの共通流路１９に対して接続されるノズル行５の数は、１つであってもよいし、２以上であってもよい。以下では、共通流路１９とノズル行５との接続関係の一例を示す。
【０１３５】
図１３は、図３の領域XIIIにおける平面透視図である。
【０１３６】
図１３では、共通流路１９が示されているとともに、個別流路１７のうち加圧室２３及びノズル３が示されている。なお、ノズル３は、比較的微小であることから、図１３では、加圧室２３に対して実際よりも大きく描かれている。また、図１３では、共通流路１９に液体を供給する供給口１８、及びノズル３が設けられていないダミー加圧室２４も示されている。ただし、供給口１８及びダミー加圧室２４についての説明は省略する。
【０１３７】
ヘッド２では、複数（図示の例では４本）の共通流路１９が互いに並列にＤ１方向に交差する方向（図示の例ではＤ１方向に直交するＤ２方向）に直線状に延びている。複数の共通流路１９の構成は、例えば、基本的に同様である。複数の共通流路１９同士の間隔は、例えば、一定である。なお、図示の例では、共通流路１９毎に供給口１８が設けられているが、既述のように、複数の共通流路１９は、流路部材１３内で合流していてもよい。
【０１３８】
複数のノズル３は、共通流路１９に沿って配列されている。換言すれば、ノズル行５と共通流路１９とは互いに並列に延びている。そして、１本の共通流路１９に対しては、片側に２行ずつ、合計で４行のノズル行５が配置されている。図示の例では、４本の共通流路１９が設けられていることから、ノズル行５は、合計で１６行設けられている。
【０１３９】
１本の共通流路１９の片側に２行ずつで位置している合計４行のノズル行５のノズル３は、前記の１本の共通流路１９に通じている。また、１本の共通流路１９の片側に位置している２行のノズル行５は、１つのノズル領域４１を構成している。従って、１本の共通流路１９の両側に位置している合計で２つのノズル領域４１のノズル３は、前記の１本の共通流路１９に通じている。
【０１４０】
共通流路１９は複数設けられているから、Ｄ１方向において隣り合う２つのノズル領域４１毎に、複数のノズル３が同一の共通流路１９に通じているということができる。換言すれば、奇数番目の１つのノズル領域４１と偶数番目の１つのノズル領域４１との組み合わせ毎に、複数のノズル３が１本の共通流路１９に通じている。
【０１４１】
ここで、既述のように、Ｄ１方向に見て、奇数番目のノズル領域４１のノズル３と、偶数番目のノズル領域４１のノズル３とが交互にＤ２方向に並んでいる場合においては、奇数番目の２以上のノズル領域４１及び偶数番目の２以上のノズル領域４１のうち、一方（例えば奇数番目の２以上のノズル領域４１）のみから液滴を吐出して画像を形成することができる。すなわち、画像のドット密度を切り換えることができる。
【０１４２】
このとき、奇数番目の１つのノズル領域４１と偶数番目の１つのノズル領域４１との組み合わせ毎に、複数のノズル３が１本の共通流路１９に通じている場合においては、各共通流路１９に接続されているノズル領域４１の数は、いずれも１つであり、複数の共通流路１９同士で同じである。従って、共通流路１９に必要とされる流量は、具体的な画像の内容に応じた流量の変化を無視すれば、ドット密度の切換え前であっても、切換え後であっても、複数の共通流路１９同士で同じである。ひいては、共通流路１９との接続の関係に起因して、ドット密度の切換えの前又は後において、ノズル領域４１間で吐出特性に相違が生じる蓋然性が低減される。
【０１４３】
また、ドット密度を低くすると、１本の共通流路１９から液体を供給すべきノズル領域４１の数が２から１へ少なくなる。その結果、ノズル３から比較的大きな液滴を吐出しても、液滴の吐出に対して共通流路１９からノズル３への液体の補充が遅れてしまう蓋然性が低減される。すなわち、比較的大きな液滴を吐出することが容易化される。ドット密度が高いときと低いときとで画像の色の濃度を同等にするためには、ドット密度が低いときは、ドット密度が高いときに比較して、例えば、液滴を大きくしたり、液滴の吐出回数を増やしたりしなければならない。ドット密度が低いときに比較的大きな液滴を吐出できることにより、このような調整が容易化される。
【０１４４】
上記のような共通流路１９とノズル領域４１のノズル３との接続関係を実現する個別流路１７（特に連通路２５）の具体的な形状、向き及び／又は位置は、適宜なものとされてよい。以下に、その一例を示す。
【０１４５】
図１４は、図１３の領域XIVを拡大して示す平面透視図である。ここでは、図１３に示した構成に加えて、部分流路２１、連通路２５及び個別電極３５も示されている。部分流路２１は、加圧室２３の端部から真下に延びる円柱状として描かれている。連通路２５は、図４においてプレート２７Ｉによって構成されて加圧室２３に接続されている部分（円）と、プレート２７Ｈによって構成されている部分（両端が拡径した長尺状部分）と、プレート２７Ｇ及び２７Ｆによって構成されて共通流路１９に接続されている部分（円）とが描かれている。個別電極３５の引出電極３５ｂは、個別電極本体３５ａと一体に形成されている部分（菱形から延び出ている部分）と、その上に形成されているバンプ部分（円）とが描かれている。
【０１４６】
なお、以上の実施形態において、Ｄ１方向は第２方向の一例である。Ｄ２方向は、第１方向の一例であり、また、第２方向に交差する方向（各ノズル行内でノズルが配列されている方向）の一例である。
【０１４７】
本開示に係る技術は、上述した実施形態に限定されず、種々の態様で実施されてよい。
【０１４８】
例えば、ヘッドは、圧電素子によって個別流路に圧力を付与するピエゾ式のものに限定されない。例えば、加熱素子によって液体に気泡を生じさせ、個別流路に圧力を付与するサーマル式のものであってもよい。
【０１４９】
本開示に係る技術に係る効果として、ノズルの均等配置等を挙げたが、必ずしも均等に配置されていると言えなくてもよい。例えば、図５のノズル４を参照して説明した典型的な比較例に比較して、第２方向（Ｄ１方向）に見て互いに隣り合うノズルが互いに隣り合うノズル行に属する頻度が減るだけであってもよい。
【０１５０】
図示したノズルの配置は、例示に過ぎず、図示以外の配置が実施されてもよい。例えば、図５では、第２方向に見て１つ置きに並んでいるノズルを結んだ折れ線が屈曲することについて述べたが、第２方向に見て互いに隣り合って（連続して）並んでいるノズルをその並び順に結んだ折れ線がノズルの１つ毎に第２方向の一方側と他方側とに交互に屈曲していてもよい。
【０１５１】
実施形態では、ｑ＝１として、ｑ×ｍ個のノズルの配置パターンが繰り返される例について述べた。ただし、ｑ＞１とされてもよい。例えば、実施形態の説明で例示した第１〜第８配置例のうちの互いに異なるｑ個（＞１）の配置例を組み合わせ、その組み合わせを繰り返すようにしてもよい。
【符号の説明】
【０１５２】
１…プリンタ（記録装置）、２…液体吐出ヘッド、２ａ…吐出面、３…ノズル、５…ノズル行、４１…ノズル領域。
【図１】
2020157658.tif 000003
【図２】
2020157658.tif 000004
【図３】
2020157658.tif 000005
【図４】
2020157658.tif 000006
【図５】
2020157658.tif 000007
【図６】
2020157658.tif 000008
【図７】
2020157658.tif 000009
【図８】
2020157658.tif 000010
【図９】
2020157658.tif 000011
【図１０】
2020157658.tif 000012
【図１１】
2020157658.tif 000013
【図１２】
2020157658.tif 000014
【図１３】
2020157658.tif 000015
【図１４】
2020157658.tif 000016